(57)【要約】【課題】不使用時には幅木を足場板に格納できる幅木装置付き足場板を提供する。【解決手段】幅木装置付き足場板は、長尺の足場板１０、幅木装置２０、及び巻取り装置３０を備える。幅木装置２０は、足場板１０の幅方向の第１側面１１に沿って起立できる。巻取り装置３０は、足場板１０の内部に配置している。巻取り装置３０は、防護シート３ｓを巻回状態で格納している。防護シート３ｓの端部は、把持バー２ｐに固定されている。把持バー２ｐを把持して、防護シート３ｓを足場板１０から引き出すことができる。把持バー２ｐが起立状態では、防護シート３ｓは、その端部が巻取り装置３０から引き出されて、把持バー２ｐと足場板１０の床面１ａとの間隙を防護するように、防護シート３ｓを第１側面１１に当接している。【選択図】図４
2015010430.tif 000002
【特許請求の範囲】
【請求項１】
略水平状態に配置され、帯状に延びる長尺の足場板と、
この足場板の幅方向の第１側面に沿って起立可能な幅木装置と、
前記足場板の内部に配置され、前記足場板の長手方向の長さと略同じ長さを有する防護シートを巻回状態で格納した巻取り装置と、を備え、
前記幅木装置は、
前記防護シートの端部を固定して当該防護シートを引き出せると共に、前記第１側面に当接して当該防護シートの巻き取りが阻止される把持バーと、
前記把持バーの両端縁に一端部を固定して対向配置され、前記足場板の長手方向の第２側面に他端部を連結した一対のアームと、を有し、
前記足場板の第２側面は、
前記アームの他端部を当該足場板の幅方向に沿ってスライド可能に案内する長穴と、
前記長穴に連通すると共に、前記第１側面に近接して開口され、前記把持バーが起立可能に前記アームの他端部を回動可能に案内する円形開口と、を有し、
前記把持バーが起立状態では、前記防護シートは、その端部が前記巻取り装置から引き出されて、前記把持バーと前記足場板の床面との間隙を防護するように、当該防護シートを前記第１側面に当接している幅木装置付き足場板。
【請求項２】
前記幅木装置を前記足場板の幅方向の両翼に備えると共に、前記巻取り装置を対向するように一対に配置した請求項１記載の幅木装置付き足場板。
【請求項３】
前記アームは、その他端部から突出して前記円形開口に嵌合する円柱状の軸部を有し、
前記軸部は、前記長穴にスライド可能に、劣弧が切り欠かれた弦となる一対の平面を外周に有し、
前記足場板の第２側面は、前記円形開口から前記足場板の底面に向かって切り欠かれ、一対の前記平面に当接して把持バーの起立状態を維持可能な切り欠き穴を更に有する請求項１又は２記載の幅木装置付き足場板。
【請求項４】
前記把持バーが前記第１側面に当接した状態で、前記防護シートを外方から覆う保護カバーを更に備える請求項１から３のいずれかに記載の幅木装置付き足場板。
【請求項５】
前記巻取り装置は、
前記防護シートを巻回する方向に回転力が付勢された回転ドラムと、
この回転ドラムを囲うと共に、この回転ドラムの軸方向と略平行に開口し、前記防護シートが出入り可能な開口部を前記第１側面に向かって配置した筒状のケースと、を有する請求項１から４のいずれかに記載の幅木装置付き足場板。
【発明の詳細な説明】
【技術分野】
【０００１】
本発明は、幅木装置付き足場板に関する。特に、建物の外壁面に沿って建設現場に仮設される枠組足場などに用いられ、幅木を足場板に格納可能な幅木装置付き足場板の構造に関する。
【背景技術】
【０００２】
例えば、枠組足場は、建物の外壁面に沿って建設現場に仮設されている。枠組足場は、対向配置させた建枠の両側垂直面を「交差筋交い」で結合して枠組を補強すると共に、建枠を上方へ必要な高さだけ順次継ぎ足すことによって構築している。
【０００３】
近年では、足場などから作業員が墜落又は転落することを未然に防止する対策が強化されている。そして、足場の種類に対応した墜落防止措置が労働安全衛生規則で義務付けられている。例えば、枠組足場では、交差筋交いの下部の隙間からの墜落を防止するため、交差筋交いに加え、「下さん」や「幅木」の設置が義務付けられている。又、「手すり枠」の設置も義務付けられている。
【０００４】
この規則に基づき、枠組足場では、対向する一対の幅木を立設するように垂直方向に延ばし、略水平面に敷設された作業床の長手方向の両縁に一対の幅木を配置している。これにより、交差筋交いの下部の隙間からの墜落防止を強化している。
【０００５】
一般に、このような幅木は、作業床として敷設された帯状に延びる鋼製の長尺の足場板を使用（流用）している。そして、複数の幅木が長手方向に連設されて、所定の長さを有する、一対の幅木に防護される作業床を有する枠組足場を構成していた。
【０００６】
上述したような、足場板を使用した幅木は、足場バンドや番線を用いて、人手により枠組足場に取り付けている。しかし、このような幅木の取り付け作業は、非常に手間（時間）を要するばかりでなく、幅木を安定的に確実に取り付けるためには、熟練を要するという不具合があった。又、足場板を使用した幅木は、作業通路幅が狭くなるという不具合があった。
【０００７】
上述したような不具合を解消するため、枠組足場に簡単に取り付けることができ、施工性が格段に向上すると共に、確実でばらつきの無い取り付けが可能な枠組足場用幅木が開示されている（例えば、特許文献１参照）。
【０００８】
特許文献１による枠組足場用幅木は、作業床の幅方向の両翼に配置される一対の長尺の傾斜幅木を備えている。これらの傾斜幅木は、その長手方向の両翼に一対の鉤状の係脱金物を取り付けている。そして、これらの係脱金物は、傾斜幅木の面から離間して、一対の足場支柱にその内側から係脱可能な半円弧状のフックを有している。又、このフックの先端縁は、斜めにカットした傾斜縁を形成している。
【０００９】
特許文献１による枠組足場用幅木は、傾斜幅木の片側を下げて、一方の係脱金物を一方の足場支柱に係止した後、他方の係脱金物を他方の足場支柱を挟むように落とし込むことにより、傾斜幅木を足場に簡単に設置できる、としている。
【００１０】
又、幅木がその長手方向に伸縮する幅木装置としては、フェンスの下側の隙間を塞いで小さな積み荷の落下を確実に防止し、可動フェンスの開閉の都度、設置又は撤去する必要のない可動幅木装置が開示されている（例えば、特許文献２参照）。
【００１１】
特許文献２による可動幅木装置は、ゲートを開閉する可動フェンスの門柱の下部に巻取部を取り付け、この巻取部から繰り出された幅木シート及び拘束ワイヤをフェンス本体の可動端の引き手柱に繋着している。幅木シートは、フェンス本体と床面との隙間を塞ぐように張設され、拘束ワイヤは、フェンス本体の下部背面に沿って張設される。巻取部は、幅木シート及び拘束ワイヤの内、幅木シートにのみ繰り出し方向の引っ張り力が作用した場合に、幅木シートを巻き取る巻取ドラムの回転を拘束するロック機構を備える。
【００１２】
特許文献２による可動幅木装置は、フェンス本体の開閉動作に追随して、幅木シートが巻取部により繰り出され、又は巻き取られるので、従来のように仮設板などを幅木として用いる場合と異なり、フェンス本体を開閉する都度に、仮設板を設置又は撤去する必要がないので便利である、としている。
【００１３】
更に、足場板本体の両側縁に隙間を発生させることなく幅木を立設でき、足場板本体に対する幅木の着脱操作が容易であり、足場板を不使用時には、幅木を足場板本体の裏側に格納可能な幅木付き足場板が開示されている（例えば、特許文献３参照）。
【００１４】
特許文献３による幅木付き足場板は、略水平状態に配置された長尺の足場板本体と、足場板本体の両側縁に回転自在に連結された一対の幅木と、幅木を足場板本体の側縁に起立保持させる一つ以上のストッパと、を備え、足場板本体の下部と幅木の下部とがヒンジを介して回転可能に連結され、使用時には幅木を起立でき、不使用時には幅木を足場板本体の裏側に格納できる、としている。
【先行技術文献】
【特許文献】
【００１５】
【特許文献１】特開２００３−２１３９２７号公報
【特許文献２】特開平１１−１９０１３２号公報
【特許文献３】特開平８−１２８１９２号公報
【発明の概要】
【発明が解決しようとする課題】
【００１６】
特許文献１による枠組足場用幅木は、傾斜幅木を足場に簡単に設置又は撤去できるが、結局は、傾斜幅木を現場で組み立てる必要があり、傾斜幅木を枠組足場に搬入又は搬出する必要があるという問題がある。
【００１７】
幅木を足場板と一体に構成すれば、足場板と幅木を別々に搬入又は搬出する必要が無くなり、かつ、足場板の内部に幅木を収納できるように構成すれば、足場板の保管スペースを幅木の保管スペースとして利用でき、枠組足場の構成品の保管スペースを削減できる。又、幅木を足場板と一体に構成し、幅木を容易に設置できるようになれば、設置時間を短縮できる。
【００１８】
又、特許文献２による可動幅木装置は、枠組足場用幅木として利用することは可能である。しかし、特許文献２による可動幅木装置は、その構造からして、幅木シートの下端縁と床面（作業床）との間に隙間ができ、小さな積み荷程度の落下を防止することはできても、小さいレンチ（工具）などの落下を防止することは困難であるという問題がある。
【００１９】
特許文献３による幅木付き足場板は、幅木と足場板本体とを一体に構成し、不使用時には幅木を足場板本体の裏側に格納できるので、枠組足場の構成品の保管スペースを削減できる。しかし、特許文献３による幅木付き足場板は、幅木が足場板本体と略同じ長さを有する箱状の金属部材からなり、幅木を重くしている。幅木を足場板本体にコンパクトに格納でき、かつ軽量化することが望まれている。そして、以上のことが本発明の課題といってよい。
【００２０】
本発明は、このような課題に鑑みてなされたものであり、幅木と足場板とを一体に構成して、不使用時には幅木を足場板に格納でき、小型の物品が落下することを防止する、軽量かつコンパクトな幅木装置付き足場板を提供することを目的とする。
【課題を解決するための手段】
【００２１】
本発明者は、Ｃ型チャンネル状の足場板の少なくとも一側面に沿って幅木に相当する把持バーを配置し、把持バーの両端部に一対のアームの一端部を固定し、これらのアームの他端部を足場板にスライド自在に連結すると共に、防護シートを巻回状態で格納した巻取り装置を足場板の内部に配置し、防護シートの一端を把持バーに係止し、把持バーを足場板から引き出して、足場板の側面に起立させた状態では、足場板の床面と把持バーの間隙を防護シートで覆うことにより、これらの課題が解決可能なことを見出し、これに基づいて、以下のような新たな幅木装置付き足場板を発明するに至った。
【００２２】
（１）本発明による幅木装置付き足場板は、略水平状態に配置され、帯状に延びる長尺の足場板と、この足場板の幅方向の第１側面に沿って起立可能な幅木装置と、前記足場板の内部に配置され、前記足場板の長手方向の長さと略同じ長さを有する防護シートを巻回状態で格納した巻取り装置と、を備え、前記幅木装置は、前記防護シートの端部を固定して当該防護シートを引き出せると共に、前記第１側面に当接して当該防護シートの巻き取りが阻止される把持バーと、前記把持バーの両端縁に一端部を固定して対向配置され、前記足場板の長手方向の第２側面に他端部を連結した一対のアームと、を有し、前記足場板の第２側面は、前記アームの他端部を当該足場板の幅方向に沿ってスライド可能に案内する長穴と、前記長穴に連通すると共に、前記第１側面に近接して開口され、前記把持バーが起立可能に前記アームの他端部を回動可能に案内する円形開口と、を有し、前記把持バーが起立状態では、前記防護シートは、その端部が前記巻取り装置から引き出されて、前記把持バーと前記足場板の床面との間隙を防護するように、当該防護シートを前記第１側面に当接している。
【００２３】
（２）前記幅木装置を前記足場板の幅方向の両翼に備えると共に、前記巻取り装置を対向するように一対に配置してもよい。
【００２４】
（３）前記アームは、その他端部から突出して前記円形開口に嵌合する円柱状の軸部を有し、前記軸部は、前記長穴にスライド可能に、劣弧が切り欠かれた弦となる一対の平面を外周に有し、前記足場板の第２側面は、前記円形開口から前記足場板の底面に向かって切り欠かれ、一対の前記平面に当接して把持バーの起立状態を維持可能な切り欠き穴を更に有することが好ましい。
【００２５】
（４）前記把持バーが前記第１側面に当接した状態で、前記防護シートを外方から覆う保護カバーを更に備えることが好ましい。
【００２６】
（５）前記防護シートを巻回する方向に回転力が付勢された回転ドラムと、この回転ドラムを囲うと共に、この回転ドラムの軸方向と略平行に開口し、前記防護シートが出入り可能な開口部を前記第１側面に向かって配置した筒状のケースと、を有することが好ましい。
【発明の効果】
【００２７】
本発明による幅木装置付き足場板は、防護シートを巻回状態で格納した巻取り装置を足場板の内部に配置し、防護シートの一端を係止した把持バーを足場板から引き出して、把持バーを足場板の第１側面に起立させた状態では、足場板の床面と把持バーの間隙を防護シートで覆うことができるので、小型の物品が落下することを防止でき、不使用時には幅木装置を足場板に格納できる。
【図面の簡単な説明】
【００２８】
【図１】本発明の一実施形態による幅木装置付き足場板の構成を示す斜視図である。
【図２】前記実施形態による幅木装置付き足場板の要部を拡大した斜視分解組立図である。
【図３】前記実施形態による幅木装置付き足場板の要部を拡大した右側面図であり、把持バーを足場板から引き出した状態図である。
【図４】前記実施形態による幅木装置付き足場板の要部を拡大した縦断面図であり、把持バーを足場板の第１側面に当接した状態図である。
【図５】前記実施形態による幅木装置付き足場板を正面側から観た縦断面図であり、把持バーを起立した状態図である。
【図６】前記実施形態による幅木装置付き足場板の概略の構成を示す斜視図であり、図６（Ａ）は、把持バーを足場板の第１側面に当接した状態図、図６（Ｂ）は、把持バーを足場板から引き出す途中の状態図、図６（Ｃ）は、把持バーを起立させる途中の状態図、図６（Ｄ）は、把持バーを起立させた状態図である。
【発明を実施するための形態】
【００２９】
以下、図面を参照して本発明を実施するための形態を説明する。
［幅木装置付き足場板の構成］
最初に、本発明の一実施形態による幅木装置付き足場板の構成を説明する。図１は、本発明の一実施形態による幅木装置付き足場板の構成を示す斜視図である。図２は、前記実施形態による幅木装置付き足場板の要部を拡大した斜視分解組立図である。
【００３０】
図３は、前記実施形態による幅木装置付き足場板の要部を拡大した右側面図であり、把持バーを足場板から引き出した状態図である。図４は、前記実施形態による幅木装置付き足場板の要部を拡大した縦断面図であり、把持バーを足場板の第１側面に当接した状態図である。図５は、前記実施形態による幅木装置付き足場板を正面側から観た縦断面図であり、把持バーを起立した状態図である。
【００３１】
（幅木装置付き足場板の概略構成）
図１から図５を参照すると、本発明の一実施形態による幅木装置付き足場板は、長尺の足場板１０、一対の幅木装置２０・２０、及び一対の巻取り装置３０・３０を備えている。足場板１０は、略水平状態に配置され、帯状に延びている。
【００３２】
図１から図５を参照すると、幅木装置２０は、足場板１０の幅方向の第１側面１１に沿って起立できる。巻取り装置３０は、足場板１０の内部に配置している（図４参照）。又、巻取り装置３０は、足場板１０の長手方向の長さと略同じ長さを有する防護シート３ｓを巻回状態で格納している（図４参照）。
【００３３】
図１から図５を参照すると、防護シート３ｓの端部は、把持バー２ｐに固定されている。把持バー２ｐを把持して、防護シート３ｓを足場板１０から引き出すことができる（図３参照）。把持バー２ｐを第１側面１１に当接すると、防護シート３ｓの巻き取りが阻止される（図４参照）。
【００３４】
図１を参照すると、実施形態による幅木装置付き足場板は、足場板１０の長辺側の両縁部から略垂直方向に、一対の幅木装置２０・２０を立設している。対向するこれらの幅木装置２０・２０は、足場板１０の幅方向の両翼を防護している。又、足場板１０は、それらの長手方向にも連設できる。なお、図２から図４では、一方の幅木装置２０を図示し、他方の幅木装置２０の図示を省略している。
（足場板の構成）
図１から図５を参照すると、足場板１０は、アルミニウム合金などから成形され、作業員が往来可能な帯状に延びる床面１ａを形成する床部１１ａを設けている。足場板１０の長手方向の第２側面１２には、床部１１ａの長手方向に延びる、枠部１３を取り付けている（図５参照）。
【００３５】
図３から図５を参照すると、床部１１ａには、その長手方向と略平行に複数の補強リブ１４を内部に突出している。複数の補強リブ１４を床部１１ａに設けることにより、曲げ荷重に対する足場板１０の強度を保障している。
【００３６】
又、図５を参照すると、枠部１３は、半円弧状の切り欠き１３１を下部に切り欠いている。一対の枠部１３・１３を足場板１０の長手方向の両翼に取り付け、これらの切り欠き１３１・１３１を図示しない丸パイプからなる水平部材に係合することにより、足場板１０を水平状態に配置できる。なお、枠部１３を利用して、長手方向に他の足場板１０を隣接することができる。
【００３７】
（幅木装置の構成）
図１から図５を参照すると、実施形態による幅木装置２０は、把持バー２ｐと一対のアーム２ａ・２ａで構成している。把持バー２ｐは、防護シート３ｓの端部を固定している。把持バー２ｐを把持して、防護シート３ｓを足場板１０から引き出すことができる（図３参照）。把持バー２ｐを第１側面１１に当接すると、防護シート３ｓの巻き取りを阻止できる（図４参照）。
【００３８】
図１から図５を参照すると、一対のアーム２ａ・２ａの一端部は、把持バー２ｐの両端縁に固定されている。又、一対のアーム２ａ・２ａは、対向配置されている。つまり、把持バー２ｐと一対のアーム２ａ・２ａは、門型に形成されている。一対のアーム２ａ・２ａの他端部は、足場板１０の長手方向の第２側面１２に連結している。
【００３９】
一方、図２から図４を参照すると、足場板１０の第２側面１２は、長穴１２ａと円形開口１２ｂを開口している。長穴１２ａは、足場板１０の幅方向と略平行に延びている。そして、長穴１２ａは、アーム２ａの他端部を足場板１０の幅方向に沿ってスライド可能に案内できる。
【００４０】
図２から図４を参照すると、円形開口１２ｂは、長穴１２ａの一端部に連通すると共に、第１側面１１に近接して開口されている。そして、円形開口１２ｂは、把持バー２ｐが起立可能にアーム２ａの他端部を回動可能に案内できる。
【００４１】
図３から図５を参照すると、アーム２ａは、その他端部から突出して円形開口１２ｂに嵌合する円柱状の軸部２１ａを有している。軸部２１ａは、長穴１２ａにスライド可能に、劣弧が切り欠かれた弦となる一対の平面２１１・２１１を外周に有している。なお、一対の軸部２１ａ・２１ａは、足場板１０を間に配置して、対向配置されている。又、軸部２１ａには、鍔付きの係止ピン２２ａが第２側面１２を間にして圧入されている。これにより、アーム２ａの他端部が第２側面１２から離反することを困難にしている。
【００４２】
一方、図２から図４を参照すると、足場板１０の第２側面１２は、円形開口１２ｂから足場板１０の底面に向かって切り欠かれた切り欠き穴１２ｃを更に有している。軸部２１ａを切り欠き穴１２ｃの他方の端縁に向かって押し下げると、一対の平面２１１・２１１が切り欠き穴１２ｃに当接して、把持バー２ｐの起立状態を維持できる。切り欠き穴１２ｃと軸部２１ａは、把持バー２ｐの起立状態を維持するロック装置を構成している。
【００４３】
（巻取り装置の構成）
図４又は図５を参照すると、巻取り装置３０は、回転ドラム３１と筒状のケース３２を有している。ケース３２は、回転ドラム３１の周囲を囲っている。又、ケース３２は、足場板１０の底面から突出しないように、足場板１０の内部に配置されている。
【００４４】
図１から図３及び図５を参照すると、巻取り装置３０は、足場板１０の第２側面１２に一対の保持ブロック３３・３３を取り付けている。これらの保持ブロック３３・３３は、固定軸３４の両端部を支持している。固定軸３４は、軸受３４ａを介して、回転ドラム３１を回転可能に連結している（図５参照）。
【００４５】
図４を参照すると、回転ドラム３１は、防護シート３ｓを巻回している。図５を参照すると、回転ドラム３１は、コイルばね３５を内蔵している。コイルばね３５は、固定軸３４の外周を巻回するように配置されている。コイルばね３５の一端部は、固定軸３４に固定され、コイルばね３５の他端部は、回転ドラム３１に固定されている。そして、コイルばね３５は、防護シート３ｓを回転ドラム３１に巻回する方向に回転力を付勢している（図３参照）。なお、図５の左側にも、図５に示した構成のコイルばね３５が配置されている。
【００４６】
図４を参照すると、ケース３２は、その一端部に開口部３２１を設けている。開口部３２１は、回転ドラム３１の軸方向と略平行に開口している（図５参照）。又、開口部３２１には、防護シート３ｓが出入り可能になっている。開口部３２１は、第１側面１１に向かって配置されている。
【００４７】
図２から図４を参照すると、防護シート３ｓは、その端部に把持バー２ｐを取り付けている。把持バー２ｐは、第１側面１１に開口したスリット開口１１ｈの周縁に当接して、防護シート３ｓの巻き取りを阻止できる。又、把持バー２ｐを把持して、防護シート３ｓを容易に引き出すことができる。
【００４８】
図３又は図４を参照すると、把持バー２ｐを把持して、巻取り装置３０から防護シート３ｓを引き出す場合に、防護シート３ｓを常に巻き取る方向に力を付与でき、把持バー２ｐが起立状態から、把持バー２ｐを持ち上げると、防護シート３ｓが回転ドラム３１に巻回されるように、図示しないクラッチ装置を回転ドラム３１の内部に設けている。
【００４９】
図４又は図５を参照して、例えば、前記クラッチ装置は、固定軸３４と同軸にブレーキシャフトを回転ドラム３１の中央部に設け、このブレーキシャフトに捩りコイルばね状のブレーキばねを締着又は弛緩可能に嵌め合わせ、防護シート３ｓの引き出し時と巻き取り時に、このブレーキばねを弛緩させ、防護シート３ｓの停止時に、このブレーキばねを締着させるカム装置を設けてもよい。なお、ブレーキシャフト、ブレーキばね、及びカム装置は、いずれも図示していない。
【００５０】
図４又は図５を参照して、前記クラッチ装置は、ブレーキシャフトに円筒状のカム筒を摺動自在に嵌め合わせ、このカム筒と一体に回転するように、ブレーキばねの一端部をカム筒に嵌め合わせ、カム筒の外周にカム溝を設けると共に、回転ドラム３１と一体に回転するカム突起をこのカム溝に連結し、このカム突起は、カム溝に案内されて、防護シート３ｓの引き出し時と巻き取り時に、このブレーキばねの両端部のいずれか一方に作用してブレーキばねを弛緩させ、防護シート３ｓの停止時に、ブレーキばねの一端部に作用してブレーキばねを締着させるように構成することもできる。
【００５１】
例えば、前記カム溝は、カム突起の行き行程と帰り行程が不可逆なループしたハート状のカム溝からなることが好ましく、このハート状のカム溝にＶ字状に分岐するＶ字形分岐片を設け、カム突起がＶ字形分岐片の一方の頂点に位置しているときは、ブレーキばねが弛緩して、回転ドラム３１から防護シート３ｓを引き出すことができる。
【００５２】
又、防護シート３ｓを引き出す過程で、把持バー２ｐを少しだけ戻すと、カム突起がＶ字形分岐片の底部に移動することにより、ブレーキばねが締着して、防護シート３ｓを所定の位置に停止できる。防護シート３ｓが静止した状態から把持バー２ｐを引くと、カム突起がＶ字形分岐片の他方の頂点に移動し、ブレーキばねが弛緩して、防護シート３ｓを回転ドラム３１に巻き取ることができる。
【００５３】
このように、巻取り装置３０は、防護シート３ｓを引き出して、任意の位置で停止でき、把持バー２ｐを引いて、防護シート３ｓを巻き取る動作を繰り返すことができる（図４参照）。なお、図２から図４を参照すると、実施形態による幅木装置付き足場板は、把持バー２ｐが第１側面１１に当接した状態で、防護シート３ｓを外方から覆う保護カバー４を更に備えている。
【００５４】
図１又は図５を参照すると、防護シート３ｓは、網目が細かいメッシュシートを用いることが好ましく、例えば、このメッシュシートは、屈曲容易な強靭性の繊維で格子状に織られている。強靭性の繊維とは、靭性の高い繊維であってよく、スチール繊維、カーボン繊維、ガラス繊維、ポリエステルやアラミド繊維などの有機繊維、その他の繊維を含むことができる。
【００５５】
［幅木装置付き足場板の作用］
次に、実施形態による幅木装置付き足場板の操作方法を説明しながら、幅木装置付き足場板の作用及び効果を説明する。図６は、前記実施形態による幅木装置付き足場板の概略の構成を示す斜視図であり、図６（Ａ）は、把持バーを足場板の第１側面に当接した状態図、図６（Ｂ）は、把持バーを足場板から引き出す途中の状態図、図６（Ｃ）は、把持バーを起立させる途中の状態図、図６（Ｄ）は、把持バーを起立させた状態図である。
【００５６】
図６（Ａ）を参照して、足場板１０を図示しない枠組足場に設置した段階では、把持バー２ｐは、足場板１０の第１側面１１に当接しており、防護シート３ｓは、巻取り装置３０に略収納されている（図４参照）。
【００５７】
次に、図６（Ｂ）を参照して、把持バー２ｐを把持して、第１側面１１から離反する方向に把持バー２ｐを移動できる。この場合、防護シート３ｓが巻取り装置３０から引き出される。そして、図３又は図４を参照して、軸部２１ａが円形開口１２ｂに到達すると、図６（Ｃ）に示されるように、軸部２１ａを回転中心として、把持バー２ｐを時計方向Ｒに回転できる（図４参照）。
【００５８】
次に、図６（Ｄ）を参照して、軸部２１ａを回転中心として、把持バー２ｐを略９０度回動して、把持バー２ｐを押し下げると、軸部２１ａが切り欠き穴１２ｃに移動して（図３参照）、把持バー２ｐの起立状態を維持することができる。図１又図６（Ｄ）を参照すると、把持バー２ｐが起立状態では、防護シート３ｓは、その端部が巻取り装置３０から引き出されて、把持バー２ｐと足場板１０の床面１ａとの間隙を防護するように、防護シート３ｓを第１側面１１に当接している（図４参照）。したがって、小型の物品が落下することを防止できる。
【００５９】
一方、図６（Ｄ）に示すように、把持バー２ｐが起立状態から、把持バー２ｐを持ち上げると、軸部２１ａが切り欠き穴１２ｃから円形開口１２ｂに移動して（図３参照）、軸部２１ａを回転中心として、把持バー２ｐを反時計方向Ｌに回転できる（図４参照）。この間、防護シート３ｓは、巻取り装置３０に巻き取られる方向に力を付勢されている。
【００６０】
次に、図６（Ｃ）を参照して、把持バー２ｐを第１側面１１に向かって押すと、軸部２１ａが長穴１２ａに移動し（図４参照）、把持バー２ｐを第１側面１１まで、防護シート３ｓを巻取り装置３０に巻き取って格納できる（図４参照）。そして、把持バー２ｐを第１側面１１に当接して、図６（Ａ）に示すように、幅木装置２０を初期の状態に復帰できる。
【００６１】
実施形態による幅木装置付き足場板は、足場板１０に連結した起立可能な幅木装置２０と足場板１０に格納された巻取り装置３０を備え、幅木装置２０は、防護シート３ｓの端部を固定した把持バー２ｐと、把持バー２ｐに一端部を固定し、第２側面１２に他端部を連結した一対のアーム２ａ・２ａとを有するので、把持バー２ｐを第１側面１１に沿って起立させた状態では、幅木装置２０を幅木として機能できる。
【００６２】
又、実施形態による幅木装置付き足場板は、防護シート３ｓの一端を係止した把持バー２ｐを足場板１０から引き出して、把持バー２ｐを足場板１０の第１側面１１に起立させた状態では、足場板１０の床面１ａと把持バー２ｐの間隙を防護シート３ｓで覆うことができるので、小型の物品が落下することを防止できる。
【００６３】
実施形態による幅木装置付き足場板は、幅木相当品と足場板とを一体に構成しているので、従来のように、足場板と幅木を別々に搬入又は搬出する必要が無くなり、かつ、足場板の保管スペースを幅木の保管スペースとして利用できる。そして、枠組足場の構成品の保管スペースを削減できる。
【００６４】
又、実施形態による幅木装置付き足場板は、幅木相当品と足場板とを一体に構成しているので、工具などを使用することなく、幅木相当品を容易に設置でき、幅木の設置時間を短縮できる。
【００６５】
本発明による幅木装置付き足場板は、以下の効果が期待できる。
（１）工具などを使用することなく、幅木を容易に設置できる。
（２）幅木の設置時間を短縮できる。
（３）足場板の通路幅を狭めることなく幅木を設置できる。
（４）足場板を幅木に流用する必要がなくなり、余分な足場板が不要となる。
【符号の説明】
【００６６】
１ａ  床面
２ａ・２ａ  一対のアーム
２ｐ  把持バー
３ｓ  防護シート
１０  足場板
１１  第１側面
１２  第２側面
１２ａ  長穴
１２ｂ  円形開口
２０  幅木装置
３０  巻取り装置
【図１】
2015010430.tif 000003
【図２】
2015010430.tif 000004
【図３】
2015010430.tif 000005
【図４】
2015010430.tif 000006
【図５】
2015010430.tif 000007
【図６】
2015010430.tif 000008